(57)【要約】【課題】待ち受け中の移動通信装置の消費電力を低減する。【解決手段】無線通信部１１は、無線アクセス網２１（第１の無線アクセス網）を利用したデータ通信と、無線アクセス網２１よりカバーエリアの広い無線アクセス網２２（第２の無線アクセス網）を利用したデータ通信とを行える。制御部１２は、無線アクセス網２１を利用したデータ通信が終了した後、無線アクセス網２１から無線アクセス網２２へのハンドオーバを行ってから、移動通信装置１０を待ち受け状態に遷移させる。【選択図】図１
2012227735.tif 000002
【特許請求の範囲】
【請求項１】
第１の無線アクセス網を利用したデータ通信と、前記第１の無線アクセス網よりカバーエリアの広い第２の無線アクセス網を利用したデータ通信とが可能な無線通信部と、
前記第１の無線アクセス網を利用したデータ通信が終了した後、前記第１の無線アクセス網から前記第２の無線アクセス網へのハンドオーバを行ってから、自装置を待ち受け状態に遷移させる制御部と、
を有する移動通信装置。
【請求項２】
前記無線通信部は、前記待ち受け状態の間、前記第１の無線アクセス網の基地局をサーチしない、請求項１記載の移動通信装置。
【請求項３】
前記制御部は、前記待ち受け状態が解除されると、前記第１の無線アクセス網の基地局の検出状況に応じて、前記第２の無線アクセス網から前記第１の無線アクセス網へのハンドオーバを行う、請求項１または２記載の移動通信装置。
【請求項４】
前記制御部は、自装置に割り当てられたアドレスが引き継がれるように、前記第１の無線アクセス網から前記第２の無線アクセス網へのハンドオーバを行う、請求項１乃至３の何れか一項に記載の移動通信装置。
【請求項５】
複数の無線アクセス網を利用可能な移動通信装置の無線通信方法であって、
第１の無線アクセス網を利用してデータ通信を行い、
前記データ通信が終了した後、前記第１の無線アクセス網から、前記第１の無線アクセス網よりカバーエリアの広い第２の無線アクセス網へのハンドオーバを行い、
前記第２の無線アクセス網へのハンドオーバの後、待ち受け状態に遷移する、
無線通信方法。
【発明の詳細な説明】
【技術分野】
【０００１】
本件は移動通信装置および無線通信方法に関する。
【背景技術】
【０００２】
現在、携帯電話システムや無線ＬＡＮ（Local Area Network）などの無線通信システムが広く利用されている。移動通信装置から利用される無線アクセス網としては、ＣＤＭＡ（Code Division Multiple Access）２０００の１ｘやＥＶ−ＤＯ（Evolution Data Only）ネットワーク、ＷｉＭＡＸネットワークなど、通信方式の異なる複数の種類の無線アクセス網が存在する。１ｘやＥＶ−ＤＯネットワークは、多元接続方式として符号分割多元接続（ＣＤＭＡ）を用いる。ＷｉＭＡＸネットワークは、多元接続方式として直交周波数分割多元接続（ＯＦＤＭＡ：Orthogonal Frequency Division Multiple Access）を用いる。複数の種類の無線アクセス網を利用できる移動通信装置も存在する。
【０００３】
なお、移動無線端末が優先度の低い移動電話システムで待ち受け中であっても、ユーザの発信操作が行われたときは即時にセルサーチを行って、優先度の高い移動電話システムのセルを検出するセルサーチ方法が提案されている（例えば、特許文献１参照）。また、デュアルモード携帯端末が、非優先システムで待ち受け中、非優先システムから受信される情報によって示されるタイミングで、非優先システムよりカバーエリアの狭い優先システムのサーチを行うサーチ方法が提案されている（例えば、特許文献２参照）。
【０００４】
また、ハンドオーバ元のアクセスポイントとハンドオーバ先のアクセスポイントが同一サブネットに属するとき、同一のＩＰ（Internet Protocol）アドレスをハンドオーバ前後で継続して利用する無線ＬＡＮ端末が提案されている（例えば、特許文献３参照）。また、移動局がＷｉＭＡＸネットワークとＥＶ−ＤＯネットワークの間で、ＩＰセッションを維持してハンドオーバを行う方法が提案されている（例えば、非特許文献１参照）。
【先行技術文献】
【特許文献】
【０００５】
【特許文献１】特開２００４−１８７１０４号公報
【特許文献２】特開２００６−３０３７３３号公報
【特許文献３】特開２００８−１１１８４号公報
【非特許文献】
【０００６】
【非特許文献１】Peretz Feder, Ramana Isukapalli and Semyon Mizikovsky, “WiMAX-EVDO Interworking Using Mobile IP”, IEEE (The Institute of Electrical and Electronics Engineers) Communications Magazine, pp.122-131, June 2009.
【発明の概要】
【発明が解決しようとする課題】
【０００７】
上記のように、無線アクセス網には、移動通信装置が通信可能なカバーエリアの広いものと狭いものとが存在する。カバーエリアの狭い無線アクセス網には、移動通信装置と基地局の間の通信帯域が、カバーエリアの広い無線アクセス網よりも広いといった利点を有するものもある。複数の無線アクセス網を利用できる移動通信装置は、複数の無線アクセス網を使い分けることで、カバーエリアの広さとそれ以外の利点とを享受できる。
【０００８】
しかし、複数の無線アクセス網を利用できる移動通信装置では、データ通信を行わない間の待ち受けの方法によっては、待ち受け中の消費電力が増大してしまうという問題がある。例えば、移動通信装置が、カバーエリアの狭い無線アクセス網を利用してデータ通信を行った後にそのまま待ち受け状態になると、待ち受け中に当該カバーエリアの狭い無線アクセス網の圏外に移動することでハンドオーバが発生する可能性が比較的高い。この場合、例えば、移動通信装置が、無線アクセス網を跨がるハンドオーバの発生に備えた処理を継続的に行うことなどにより、待ち受け中の消費電力が増大するおそれがある。
【０００９】
本件はこのような点に鑑みてなされたものであり、待ち受け中の消費電力を低減できる移動通信装置および無線通信方法を提供することを目的とする。
【課題を解決するための手段】
【００１０】
無線通信部と制御部とを有する移動通信装置が提供される。無線通信部は、第１の無線アクセス網を利用したデータ通信と、第１の無線アクセス網よりカバーエリアの広い第２の無線アクセス網を利用したデータ通信とが可能である。制御部は、第１の無線アクセス網を利用したデータ通信が終了した後、第１の無線アクセス網から第２の無線アクセス網へのハンドオーバを行ってから、自装置を待ち受け状態に遷移させる。
【００１１】
また、複数の無線アクセス網を利用可能な移動通信装置の無線通信方法が提供される。無線通信方法では、第１の無線アクセス網を利用してデータ通信を行う。データ通信が終了した後、第１の無線アクセス網から、第１の無線アクセス網よりカバーエリアの広い第２の無線アクセス網へのハンドオーバを行う。第２の無線アクセス網へのハンドオーバの後、待ち受け状態に遷移する。
【発明の効果】
【００１２】
待ち受け中の移動通信装置の消費電力を低減できる。
【図面の簡単な説明】
【００１３】
【図１】第１の実施の形態の移動通信装置を示す図である。
【図２】第２の実施の形態の移動通信システムを示す図である。
【図３】無線通信のカバーエリアの例を示す図である。
【図４】無線アクセス網の物理チャネルの例を示す図である。
【図５】他の無線アクセス網の物理チャネルの例を示す図である。
【図６】ページング情報の受信タイミングの例を示す図である。
【図７】移動局の例を示すブロック図である。
【図８】端末制御部の例を示すブロック図である。
【図９】アイドル状態への遷移を示すフローチャートである。
【図１０】アクティブ状態への遷移を示すフローチャートである。
【図１１】無線アクセス網への初期接続の例を示すシーケンス図である。
【図１２】第１のハンドオーバの例を示すシーケンス図である。
【図１３】第１のハンドオーバの例を示すシーケンス図（続き）である。
【図１４】第２のハンドオーバの例を示すシーケンス図である。
【図１５】第２のハンドオーバの例を示すシーケンス図（続き）である。
【発明を実施するための形態】
【００１４】
以下、本実施の形態を図面を参照して説明する。
［第１の実施の形態］
図１は、第１の実施の形態の移動通信装置を示す図である。第１の実施の形態の移動通信装置１０は、無線アクセス網２１（第１の無線アクセス網）と無線アクセス網２２（第２の無線アクセス網）とを利用して無線通信を行うことができる。移動通信装置１０は、例えば、携帯電話機や携帯情報端末装置などの無線端末装置である。
【００１５】
無線アクセス網２２は、無線アクセス網２１よりカバーエリアが広い。例えば、無線アクセス網２２のカバーエリアは、無線アクセス網２１のカバーエリアを包含する。また、無線アクセス網２１，２２は、互いに異なる通信方式を用いたものであってもよい。例えば、無線アクセス網２１がＷｉＭＡＸネットワーク、無線アクセス網２２がＣＤＭＡ２０００のＥＶ−ＤＯネットワークである場合が考えられる。
【００１６】
移動通信装置１０は、無線アクセス網２１のカバーエリア内では無線アクセス網２１を利用した無線通信が可能であり、無線アクセス網２２のカバーエリア内では無線アクセス網２２を利用した無線通信が可能である。移動通信装置１０は、無線アクセス網２１，２２の両方によってカバーされている場所では、所定の基準で、利用する無線アクセス網を選択する。例えば、無線アクセス網２１を優先的に利用することが考えられる。
【００１７】
移動通信装置１０は、無線通信部１１および制御部１２を有する。
無線通信部１１は、無線アクセス網２１を利用したデータ通信と、無線アクセス網２２を利用したデータ通信とを行うことができる。例えば、復調や復号を含むデータ受信処理や、符号化や変調を含むデータ送信処理を行う。無線アクセス網２１，２２の通信方式が異なる場合、無線通信部１１は、各通信方式に対応した通信部を備えていてもよい。
【００１８】
制御部１２は、無線アクセス網２１，２２の間のハンドオーバや、移動通信装置１０の待ち受け状態（アイドルモード）を制御する。制御部１２は、無線通信部１１において無線アクセス網２１を利用したデータ通信が終了した後は、無線アクセス網２１から無線アクセス網２２へハンドオーバを行ってから、移動通信装置１０を待ち受け状態に遷移させる。移動通信装置１０は、カバーエリアの狭い無線アクセス網２１で待ち受けを行う代わりに、カバーエリアの広い無線アクセス網２２で待ち受けを行うことになる。
【００１９】
待ち受け中は、無線通信部１１は、無線アクセス網２１，２２に対応する送信回路を停止してもよい（例えば、送信回路への電力供給を停止してもよく、送信回路のクロック周波数を下げてもよい）。また、待ち受け中は、無線通信部１１は、無線アクセス網２１の基地局をサーチしなくてもよく、無線アクセス網２１に対応する受信回路を停止してもよい（例えば、受信回路への電力供給を停止してもよく、受信回路のクロック周波数を下げてもよい）。また、無線アクセス網２２に対応する受信回路を間欠的に動作させて、無線アクセス網２２からの呼び出し（ページング）の有無を確認してもよい。
【００２０】
なお、待ち受け状態は、無線アクセス網２２からのページングが検出されたときや、送信データが移動通信装置１０で発生したときなどに解除される。無線通信部１１は、待ち受け状態が解除されると、無線アクセス網２１の基地局をサーチしてもよい。制御部１２は、サーチにより無線アクセス網２１の基地局が検出されたときは、無線アクセス網２２から無線アクセス網２１へハンドオーバを行い、無線アクセス網２１を利用してデータ通信が行われるようにしてもよい。また、制御部１２は、無線アクセス網２１と無線アクセス網２２との間のハンドオーバにおいて、ハンドオーバ前に移動通信装置１０に割り当てられていたアドレスを、ハンドオーバ後に引き継ぐようにしてもよい。
【００２１】
第１の実施の形態の移動通信装置１０によれば、無線アクセス網２１を利用したデータ通信が行われる。当該データ通信が終了した後、無線アクセス網２１から、無線アクセス網２１よりカバーエリアの広い無線アクセス網２２へのハンドオーバが行われる。無線アクセス網２２へのハンドオーバの後、移動通信装置１０が待ち受け状態になる。
【００２２】
待ち受けの開始時からカバーエリアの広い無線アクセス網２２で待ち受けが行われるため、待ち受け中に無線アクセス網２１，２２を跨がるハンドオーバが発生する可能性が低減される。このため、移動通信装置１０はハンドオーバの発生に備えた処理（例えば、無線アクセス網２１，２２両方の定期的なサーチ）を抑制し、待ち受け中の消費電力を低減することができる。また、移動通信装置１０が待ち受け中に無線アクセス網２１の基地局をサーチしないことで、消費電力を更に低減できる。
【００２３】
また、待ち受け解除後には移動通信装置１０が無線アクセス網２２から無線アクセス網２１へハンドオーバしてデータ通信を行うことで、カバーエリアの狭い無線アクセス網２１を優先的に利用することができ、無線アクセス網２１の利点（例えば、通信帯域の広さや通信の高速性）を享受できる。また、移動通信装置１０が無線アクセス網２１，２２の間のハンドオーバにおいてアドレスを引き継ぐことで、移動通信装置１０の通信相手から移動通信装置１０へのサービスの提供が中断されずに継続される。
【００２４】
以下に説明する第２の実施の形態では、ＣＤＭＡ２０００のＥＶ−ＤＯネットワークとＷｉＭＡＸネットワークの間でハンドオーバを行う移動通信装置の例を挙げる。ただし、第１の実施の形態の無線アクセス網２１，２２は、他の種類の無線アクセス網であってもよい。例えば、無線アクセス網２１，２２は、Ｗ−ＣＤＭＡ（Wideband Code Division Multiple Access）、ＬＴＥ（Long Term Evolution）、ＬＴＥ−Ａ（Long Term Evolution Advanced）、無線ＬＡＮなどのネットワークであってもよい。
【００２５】
［第２の実施の形態］
図２は、第２の実施の形態の移動通信システムを示す図である。この移動通信システムは、移動局１００、無線アクセス網２１０，２２０，２３０、公衆交換電話網（ＰＳＴＮ：Public Switched Telephone Network）３１０およびＩＰコアネットワーク３２０を含む。無線アクセス網２１０，２２０，２３０には、例えば、異なる周波数が割り当てられる。
【００２６】
移動局１００は、携帯電話機や携帯情報端末装置などの移動無線通信装置である。移動局１００は、ＣＤＭＡ２０００の１ｘ、ＣＤＭＡ２０００のＥＶ−ＤＯおよびＷｉＭＡＸの３つの通信方式で無線通信を行うことができる。移動局１００は、１ｘ方式により音声通信を行い、ＥＶ−ＤＯ方式またはＷｉＭＡＸ方式によりパケット通信を行う。
【００２７】
無線アクセス網２１０は、ＣＤＭＡ２０００の１ｘ方式によって移動局１００と音声通信を行うネットワークである。無線アクセス網２１０は、ＰＳＴＮ３１０と接続されている。無線アクセス網２１０は、基地局２１１を含む複数の基地局およびＭＳＣ（Mobile Switching Center）２１２を含む。複数の基地局それぞれがセルを形成し、複数のセルの集合によって無線アクセス網２１０のカバーエリアが形成される。無線アクセス網２１０では、回線交換方式により音声信号が伝送される。
【００２８】
基地局２１１は、移動局１００と無線通信を行い、ＭＳＣ２１２と有線通信を行う通信装置である。基地局２１１は、音声信号を移動局１００とＭＳＣ２１２の間で中継する。ＭＳＣ２１２は、基地局２１１およびＰＳＴＮ３１０と有線通信を行う交換機である。ＭＳＣ２１２は、基地局２１１を介して移動局１００と接続を確立する。ＭＳＣ２１２は、例えば、基地局２１１とＰＳＴＮ３１０の間で音声信号を中継する。
【００２９】
無線アクセス網２２０は、ＣＤＭＡ２０００のＥＶ−ＤＯ方式によって移動局１００とパケット通信を行うネットワークである。無線アクセス網２２０は、ＩＰコアネットワーク３２０と接続されている。無線アクセス網２２０は、基地局２２１を含む複数の基地局およびＰＤＳＮ（Packet Data Serving Node）２２２を含む。複数の基地局それぞれがセルを形成し、複数のセルの集合によって無線アクセス網２２０のカバーエリアが形成される。無線アクセス網２２０では、パケット交換方式によりパケットデータが伝送される。
【００３０】
基地局２２１は、移動局１００と無線通信を行い、ＰＤＳＮ２２２と有線通信を行う通信装置である。基地局２２１は、パケットデータを移動局１００とＰＤＳＮ２２２の間で中継する。ＰＤＳＮ２２２は、基地局２２１およびＩＰコアネットワーク３２０と有線通信を行うゲートウェイ装置である。ＰＤＳＮ２２２は、基地局２２１を介して移動局１００と接続を確立する。また、ＰＤＳＮ２２２は、パケットデータを基地局２２１とＩＰコアネットワーク３２０の間で中継する。
【００３１】
無線アクセス網２３０は、ＷｉＭＡＸ方式によって移動局１００とパケット通信を行うネットワークである。無線アクセス網２３０は、ＩＰコアネットワーク３２０と接続されている。無線アクセス網２３０は、基地局２３１を含む複数の基地局およびＡＳＮ（Access Service Network）ゲートウェイ２３２を含む。複数の基地局それぞれがセルを形成し、複数のセルの集合によって無線アクセス網２３０のカバーエリアが形成される。無線アクセス網２３０では、パケット交換方式によりパケットデータが伝送される。
【００３２】
基地局２３１は、移動局１００と無線通信を行い、ＡＳＮゲートウェイ２３２と有線通信を行う通信装置である。基地局２３１は、パケットデータを移動局１００とＡＳＮゲートウェイ２３２の間で中継する。ＡＳＮゲートウェイ２３２は、基地局２３１およびＩＰコアネットワーク３２０と有線通信を行うゲートウェイ装置である。ＡＳＮゲートウェイ２３２は、基地局２３１を介して移動局１００と接続を確立する。また、パケットデータを基地局２３１とＩＰコアネットワーク３２０の間で中継する。
【００３３】
ＰＳＴＮ３１０は、回線交換方式によって音声信号を伝送する加入者電話回線ネットワークである。ＰＳＴＮ３１０は、固定電話機からも利用される。
ＩＰコアネットワーク３２０は、移動局１００のパケット通信を制御し、パケット交換方式によってパケットデータを伝送するＩＰネットワークである。ＩＰコアネットワーク３２０は、無線アクセス網２２０，２３０と接続されている。ＩＰコアネットワーク３２０は、ホームエージェント（ＨＡ：Home Agent）３２１および認証・許可・課金（ＡＡＡ：Authentication, Authorization and Accounting）サーバ３２２を含む。
【００３４】
ホームエージェント３２１は、無線アクセス網２２０，２３０へ接続した移動局１００を登録し、移動局１００のパケットデータを中継する通信装置である。ホームエージェント３２１は、利用される無線アクセス網に依存しないＩＰアドレスとしてホームアドレス（ＨｏＡ：Home Address）を移動局１００に付与する。そして、ホームアドレスが指定されたパケットデータを、ＰＤＳＮ２２２またはＡＳＮゲートウェイ２３２と移動局１００の通信相手との間で中継する。ＡＡＡサーバ３２２は、移動局１００の認証や移動局１００のユーザへの課金を行うサーバ装置である。ＡＡＡサーバ３２２は、例えば、移動局１００が無線アクセス網２２０，２３０に接続するときに、移動局１００を認証する。
【００３５】
このように、ホームエージェント３２１とＡＡＡサーバ３２２は、無線アクセス網２２０を利用したパケット通信と無線アクセス網２３０を利用したパケット通信とに共通に使用される。ホームエージェント３２１とＡＡＡサーバ３２２を用いることで、移動局１００が無線アクセス網２２０と無線アクセス網２３０の間でハンドオーバを行っても、移動局１００に付与されたＩＰアドレスが維持される（ＩＰ継続性（IP Continuity））。ＩＰアドレスが維持されることで、移動局１００の通信相手は、移動局１００が無線アクセス網２２０，２３０を跨がるハンドオーバを行ってもサービスを継続できる。
【００３６】
なお、移動局１００は、第１の実施の形態の移動通信装置１０の一例である。無線アクセス網２３０は、第１の実施の形態の無線アクセス網２１の一例である。無線アクセス網２２０は、第１の実施の形態の無線アクセス網２２の一例である。また、図２では、音声通信を行う基地局２１１とパケット通信を行う基地局２２１を異なる基地局としたが、同一の基地局としてもよい。その場合、１つの基地局が、ＭＳＣ２１２を利用して移動局１００と音声通信を行い、ＰＤＳＮ２２２を利用して移動局１００とパケット通信を行う。
【００３７】
図３は、無線通信のカバーエリアの例を示す図である。例えば、無線アクセス網２１０が１ｘ方式の音声通信を提供するカバーエリアと、無線アクセス網２２０がＥＶ−ＤＯ方式のパケット通信を提供するカバーエリアとは、同一であるかまたは大部分が重複する。一方で、無線アクセス網２３０がＷｉＭＡＸ方式のパケット通信を提供するカバーエリアは、無線アクセス網２１０，２２０のカバーエリアより狭く、無線アクセス網２１０，２２０のカバーエリアの一部分と重複する。無線アクセス網２３０のカバーエリアは、例えば、無線アクセス網２１０，２２０のカバーエリア内に点在している。
【００３８】
ただし、無線アクセス網２３０は、無線アクセス網２２０よりも高速・広帯域のパケット通信を行うことができる。よって、移動局１００は、無線アクセス網２３０のカバーエリア内では、無線アクセス網２３０を優先的に利用することが好ましい。
【００３９】
図４は、無線アクセス網の物理チャネルの例を示す図である。図４は、（Ａ）無線アクセス網２１０の基地局２１１が送信する１ｘ方式の物理チャネルと、（Ｂ）無線アクセス網２２０の基地局２２１が送信するＥＶ−ＤＯ方式の物理チャネルの例を示している。
【００４０】
基地局２１１は、異なる周波数でトラフィックチャネル（ＴＣＨ：Traffic Channel）とページングチャネル（ＰＣＨ：Paging Channel）と既知のパイロット信号を送信する。トラフィックチャネルには音声信号が含まれ、ページングチャネルには移動局１００への着信の有無を示すページング情報が含まれる。移動局１００は、待ち受け中、基地局２１１から間欠的にページング情報を受信して音声着信の有無を判断する。また、無線アクセス網２１０に接続するとき、パイロット信号を受信して基地局２１１と同期をとる。
【００４１】
基地局２２１は、同一の周波数において時分割でデータと既知のパイロット信号を送信する。２分の１スロット（１０２４チップ）のうち、９２８チップがデータに割り当てられ、９６チップがパイロット信号に割り当てられる。データには、移動局１００への着信の有無を示すページングの情報が含まれる。移動局１００は、待ち受け中、基地局２２１から間欠的にページング情報を受信して着信の有無を判断する。また、無線アクセス網２２０に接続するとき、パイロット信号を受信して基地局２２１と同期をとる。
【００４２】
図５は、他の無線アクセス網の物理チャネルの例を示す図である。図５は、無線アクセス網２３０の基地局２３１が扱うＷｉＭＡＸ方式の無線フレームの例を示している。
ＯＦＤＭＡでは、無線リソースが周波数および時間方向に細分化されて、各種の物理チャネルに割り当てられる。５ミリ秒の無線フレームは、下りリンク（ＤＬ：Downlink）サブフレームと上りリンク（ＵＬ：Uplink）サブフレームを含む。ＤＬサブフレームとＵＬサブフレームの間には、ＴＴＧ（Transmit Transition Gap）と呼ばれるインターバルが挿入される。ＵＬサブフレームと次の無線フレームのＤＬサブフレームの間には、ＲＴＧ（Receive Transition Gap）と呼ばれるインターバルが挿入される。
【００４３】
基地局２３１が送信するＤＬサブフレームは、プリアンブル、ＦＣＨ（Frame Control Header）、ＤＬ−ＭＡＰ、ＵＬ−ＭＡＰおよびＤＬバーストを含む。移動局１００が送信するＵＬサブフレームは、レンジング領域およびＵＬバーストを含む。
【００４４】
プリアンブルは、既知のパイロット信号である。ＦＣＨは、移動局１００がＭＡＰ領域を認識するための情報を含む。ＤＬ−ＭＡＰは、ＤＬバーストへの無線リソースの割り当てを示す制御情報である。なお、ＵＬ−ＭＡＰも、ＤＬバーストの一部として取り扱われる。ＵＬ−ＭＡＰは、ＵＬバーストへの無線リソースの割り当てを示す制御情報である。なお、レンジング領域も、ＵＬバーストの一部として取り扱われる。ＤＬバーストには、パケットデータやページング情報が含まれ得る。また、ＤＬバーストには、ＵＬチャネル記述子（ＵＣＤ：Uplink Channel Descriptor）が含まれ得る。ＵＬチャネル記述子は、ＵＬバーストで使用できる変調符号化方式など、ＵＬサブフレームの物理特性を示す。
【００４５】
レンジング領域では、移動局１００が基地局２３１に対し、所定の信号系列であるレンジングコードを送信することができる。基地局２３１は、レンジングコードを検出することで、自局にアクセスする移動局の存在を認識する。ＵＬバーストでは、移動局１００が基地局２３１に対し、パケットデータを送信することができる。移動局１００は、無線アクセス網２３０に接続するとき、プリアンブルを受信して基地局２３１と同期をとり、レンジング領域でレンジングコードを基地局２３１に送信する。また、待ち受け中、基地局２３１から間欠的にページング情報を受信して着信の有無を判断する。
【００４６】
図６は、ページング情報の受信タイミングの例を示す図である。移動局１００は、音声通信に関して、アイドルモード（待ち受け状態）である間、基地局２１１から間欠的にページング情報を受信する。また、パケット通信に関して、ＥＶ−ＤＯ方式のアイドルモードになった場合、基地局２２１から間欠的にページング情報を受信し、ＷｉＭＡＸ方式のアイドルモードになった場合、基地局２３１から間欠的にページング情報を受信する。
【００４７】
例えば、移動局１００は、アイドルモードの間、基地局２１１から５．１２秒毎にページング情報を受信する（Ａ）。また、移動局１００は、ＥＶ−ＤＯ方式のアイドルモードの間、基地局２２１から５．１２秒毎にページング情報を受信する（Ｂ）。ただし、アイドルモードに遷移して１５分が経過した後は、基地局２２１から２０．４８秒毎にページング情報を受信すればよい。基地局２１１，２２１は、１ｘ方式のページングのタイミングとＥＶ−ＤＯ方式のページングのタイミングとが異なるように調整する。
【００４８】
また、移動局１００は、ＷｉＭＡＸ方式のアイドルモードの間、基地局２３１から５．２１秒毎にページング情報を受信する（Ｃ）。ＷｉＭＡＸ方式のページングのタイミングは、１ｘ方式またはＥＶ−ＤＯ方式のページングのタイミングと重なる可能性がある。その場合、移動局１００は、当該タイミングにおいて複数の通信方式の受信処理を行うことになる。ただし、後述するように、移動局１００は、パケット通信の終了後、原則としてＷｉＭＡＸ方式のアイドルモードでなくＥＶ−ＤＯ方式のアイドルモードに遷移する。
【００４９】
図７は、移動局の例を示すブロック図である。移動局１００は、アンテナ１１１，１１２，１１３，１１４、無線受信部１２０、受信処理部１３０、端末制御部１４０、入力部１５１、表示部１５２、送信処理部１６０および無線送信部１７０を有する。
【００５０】
アンテナ１１１，１１３は、送信・受信兼用のアンテナである。アンテナ１１２，１１４は、受信用のアンテナである。アンテナ１１１，１１２は、無線アクセス網２１０，２２０から無線信号を受信する。また、アンテナ１１１は、無線アクセス網２１０，２２０に無線信号を送信する。アンテナ１１３，１１４は、無線アクセス網２３０から無線信号を受信する。また、アンテナ１１３は、無線アクセス網２３０に無線信号を送信する。
【００５１】
無線受信部１２０は、受信された高周波の無線信号をベースバンド信号にダウンコンバートし、ベースバンド信号を受信処理部１３０に出力する。無線受信部１２０は、ＣＤＭＡ受信部１２１およびＯＦＤＭＡ受信部１２２を有する。
【００５２】
ＣＤＭＡ受信部１２１は、アンテナ１１１，１１２で受信された１ｘ方式およびＥＶ−ＤＯ方式の無線信号を処理する。アンテナ１１１，１１２を用いて、ダイバーシティやＭＩＭＯ（Multiple Input Multiple Output）通信が行われてもよい。ＯＦＤＭＡ受信部１２２は、アンテナ１１３，１１４で受信されたＷｉＭＡＸ方式の無線信号を処理する。アンテナ１１３，１１４を用いて、ダイバーシティやＭＩＭＯ通信が行われてもよい。
【００５３】
受信処理部１３０は、無線受信部１２０からベースバンド信号を取得し、復調や誤り訂正復号を含むベースバンド処理を行って、音声信号やパケットデータ、制御情報を抽出する。受信処理部１３０は、信号処理部１３１，１３２，１３３を有する。
【００５４】
信号処理部１３１は、ＣＤＭＡ受信部１２１からベースバンド信号を取得して、１ｘ方式のベースバンド処理を行い、音声信号などを抽出する。信号処理部１３２は、ＣＤＭＡ受信部１２１からベースバンド信号を取得して、ＥＶ−ＤＯ方式のベースバンド処理を行い、パケットデータなどを抽出する。信号処理部１３１，１３２で行われるベースバンド処理には、逆拡散復調が含まれる。信号処理部１３３は、ＯＦＤＭＡ受信部１２２からベースバンド信号を取得して、ＷｉＭＡＸ方式のベースバンド処理を行い、パケットデータなどを抽出する。信号処理部１３３で行われるベースバンド処理には、高速フーリエ変換（ＦＦＴ：Fast Fourier Transform）が含まれる。
【００５５】
端末制御部１４０は、無線受信部１２０、受信処理部１３０、送信処理部１６０および無線送信部１７０による無線通信を制御する。例えば、基地局２１１，２２１，２３１のサーチ、音声通信やパケット通信、ハンドオーバ、アクティブモードとアイドルモードの切り替えなどを制御する。また、端末制御部１４０は、入力部１５１および表示部１５２により実現されるユーザインタフェースを制御する。端末制御部１４０は、ＣＰＵ（Central Processing Unit）とＲＡＭ（Random Access Memory）を用いて実装してもよい。
【００５６】
入力部１５１は、ユーザの操作を受け付ける入力デバイスである。入力部１５１としては、例えば、キーの押下を検出するキーパッドや、タッチ位置を検出するタッチパネルを用いることができる。表示部１５２は、画像を表示するディスプレイである。表示部１５２としては、例えば、液晶ディスプレイ（ＬＣＤ：Liquid Crystal Display）や有機ＥＬ（Electro Luminescence）ディスプレイを用いることができる。
【００５７】
送信処理部１６０は、移動局１００で発生した音声信号やパケットデータを取得し、誤り訂正符号化や変調を行って、送信信号としてのベースバンド信号を生成する。送信処理部１６０は、信号処理部１６１，１６２，１６３を有する。
【００５８】
信号処理部１６１は、音声信号などを取得して、１ｘ方式のベースバンド処理を行う。信号処理部１６２は、パケットデータなどを取得して、ＥＶ−ＤＯ方式のベースバンド処理を行う。信号処理部１６１，１６２で行われるベースバンド処理には、拡散変調が含まれる。信号処理部１６３は、パケットデータなどを取得し、ＷｉＭＡＸ方式のベースバンド処理を行う。信号処理部１６３で行われるベースバンド処理には、逆高速フーリエ変換（ＩＦＦＴ：Inverse Fast Fourier Transform）が含まれる。
【００５９】
無線送信部１７０は、送信処理部１６０から取得したベースバンド信号を高周波の無線信号にアップコンバートし、無線信号をアンテナ１１１，１１３に出力する。無線送信部１７０は、ＣＤＭＡ送信部１７１およびＯＦＤＭＡ送信部１７２を有する。
【００６０】
ＣＤＭＡ送信部１７１は、信号処理部１６１から取得した１ｘ方式のベースバンド信号を処理し、アンテナ１１１に無線信号を出力する。また、信号処理部１６２から取得したＥＶ−ＤＯ方式のベースバンド信号を処理し、アンテナ１１１に無線信号を出力する。ＯＦＤＭＡ送信部１７２は、信号処理部１６３から取得したＷｉＭＡＸ方式のベースバンド信号を処理し、アンテナ１１３に無線信号を出力する。
【００６１】
移動局１００は、アイドルモード中は、送信処理部１６０および無線送信部１７０を停止することができる。また、後述するように、パケット通信についてはＷｉＭＡＸ方式でなくＥＶ−ＤＯ方式のアイドルモードを用いるため、ＯＦＤＭＡ受信部１２２および信号処理部１３３も停止することができる。また、移動局１００は、アイドルモード中は、ＣＤＭＡ受信部１２１および信号処理部１３１，１３２を、ページング情報を受信するタイミングで間欠的に動作させ、それ以外のタイミングでは停止させる。ここで、停止処理には、電力供給の停止や、クロック周波数の低下などの処理が含まれ得る。
【００６２】
なお、無線受信部１２０、受信処理部１３０、送信処理部１６０および無線送信部１７０は、第１の実施の形態の無線通信部１１の一例である。端末制御部１４０は、第１の実施の形態の制御部１２の一例である。
【００６３】
図８は、端末制御部の例を示すブロック図である。端末制御部１４０は、無線ドライバ１４１，１４１ａ、サーチ制御部１４２，１４２ａ、アイドル制御部１４３，１４３ａ、データ通信制御部１４４，１４４ａ、ハンドオーバ制御部１４５，１４５ａ、無線制御部１４６およびＩＰスタック１４７を有する。なお、図８では、無線アクセス網２２０，２３０を利用したパケット通信に関するブロックを示しており、他のブロック（例えば、無線アクセス網２１０を利用した音声通信に関するブロックなど）は省略している。
【００６４】
無線ドライバ１４１は、ＥＶ−ＤＯ方式のパケット通信に関して、信号処理部１３２，１６２の信号処理を制御する。無線ドライバ１４１ａは、ＷｉＭＡＸ方式のパケット通信に関して、信号処理部１３３，１６３の信号処理を制御する。
【００６５】
サーチ制御部１４２は、無線アクセス網２２０の基地局のサーチを、無線ドライバ１４１を介して信号処理部１３２に指示する。サーチ制御部１４２ａは、無線アクセス網２３０の基地局のサーチを、無線ドライバ１４１ａを介して信号処理部１３３に指示する。
【００６６】
アイドル制御部１４３は、ＥＶ−ＤＯ方式のパケット通信の開始や終了を検知し、アクティブモードとアイドルモードの切り替えを、無線ドライバ１４１を介して信号処理部１３２，１６２に指示する。アイドル制御部１４３ａは、ＷｉＭＡＸ方式のパケット通信の開始や終了を検知し、アクティブモードとアイドルモードの切り替えを、無線ドライバ１４１ａを介して信号処理部１３３，１６３に指示する。
【００６７】
データ通信制御部１４４は、ＥＶ−ＤＯ方式のパケット通信を制御する。データ通信制御部１４４ａは、ＷｉＭＡＸ方式のパケット通信を制御する。
ハンドオーバ制御部１４５は、無線アクセス網２２０の基地局の間のハンドオーバや、無線アクセス網２３０の基地局（基地局２３１など）から無線アクセス網２２０の基地局（基地局２２１など）へのハンドオーバを制御する。ハンドオーバ制御部１４５ａは、無線アクセス網２３０の基地局の間のハンドオーバや、無線アクセス網２２０の基地局から無線アクセス網２３０の基地局へのハンドオーバを制御する。
【００６８】
無線制御部１４６は、無線アクセス網２２０，２３０への接続やハンドオーバ、アクティブモードとアイドルモードの切り替えなどの制御を統括する。無線アクセス網２２０，２３０に跨がるハンドオーバでは、無線制御部１４６は、ＩＰ継続性（IP Continuity）が実現されるように制御する。すなわち、ハンドオーバ前にホームエージェント３２１から割り当てられたホームアドレスが、ハンドオーバ後に引き継がれるようにする。
【００６９】
ＩＰスタック１４７は、ホームエージェント３２１から割り当てられたホームアドレスとしてのＩＰアドレスを記憶する。無線アクセス網２３０から無線アクセス網２２０へのハンドオーバの際には、ＩＰスタック１４７に記憶されたＩＰアドレスが、無線制御部１４６によってハンドオーバ制御部１４５に提供される。無線アクセス網２２０から無線アクセス網２３０へのハンドオーバの際には、ＩＰスタック１４７に記憶されたＩＰアドレスが、無線制御部１４６によってハンドオーバ制御部１４５ａに提供される。
【００７０】
図９は、アイドル状態への遷移を示すフローチャートである。以下、図９に示す処理をステップ番号に沿って説明する。
（ステップＳ１１）端末制御部１４０は、無線アクセス網２２０（ＥＶ−ＤＯ方式）または無線アクセス網２３０（ＷｉＭＡＸ方式）によるパケット通信の終了を検知する。
【００７１】
（ステップＳ１２）端末制御部１４０は、他に音声通信やパケット通信が発生していないことを確認し、アクティブモードからアイドルモードに遷移することを決定する。
（ステップＳ１３）端末制御部１４０は、パケット通信のために、無線アクセス網２２０，２３０のうち無線アクセス網２３０（ＷｉＭＡＸ方式）に接続中であるか判断する。無線アクセス網２３０に接続中である場合、処理をステップＳ１４に進める。無線アクセス網２２０（ＥＶ−ＤＯ方式）に接続中である場合、処理をステップＳ１７に進める。
【００７２】
（ステップＳ１４）端末制御部１４０は、信号処理部１３２，１３３，１６２，１６３を制御し、無線アクセス網２３０の基地局２３１から無線アクセス網２２０の基地局２２１へのハンドオーバを行う。ハンドオーバは、基地局２３１との接続を切断する前に基地局２２１との接続を確立するハンドオーバ（ＭＢＢＨＯ：Make-Before-Break Handover）とする。当該ハンドオーバの際、端末制御部１４０は、移動局１００に割り当てられたホームアドレスを引き継ぐ。ＩＰ継続性を維持したハンドオーバの手順は後述する。
【００７３】
（ステップＳ１５）端末制御部１４０は、信号処理部１３２，１６２を制御し、移動局１００を無線アクセス網２２０（ＥＶ−ＤＯ方式）のアイドルモードに遷移させる。
（ステップＳ１６）端末制御部１４０は、送信処理部１６０と無線送信部１７０の信号処理を停止させる。また、ＯＦＤＭＡ受信部１２２と信号処理部１３３（ＷｉＭＡＸの信号処理を行う回路）の信号処理を停止させる。また、ＣＤＭＡ受信部１２１と信号処理部１３１，１３２を、ページングのタイミングに合わせて間欠的に動作させる。
【００７４】
（ステップＳ１７）端末制御部１４０は、信号処理部１３２，１６２を制御し、移動局１００を無線アクセス網２２０（ＥＶ−ＤＯ方式）のアイドルモードに遷移させる。端末制御部１４０は、送信処理部１６０と無線送信部１７０の信号処理を停止させる。また、ＣＤＭＡ受信部１２１と信号処理部１３１，１３２を間欠的に動作させる。
【００７５】
これにより、移動局１００は、アイドルモードの間、無線アクセス網２３０（ＷｉＭＡＸ方式）の基地局２３１をサーチしない。また、移動局１００は、アイドルモードの間、無線アクセス網２１０（１ｘ方式）の基地局２１１と無線アクセス網２２０（ＥＶ−ＤＯ方式）の基地局２２１から、間欠的にページング情報を受信する。
【００７６】
図１０は、アクティブ状態への遷移を示すフローチャートである。以下、図１０に示す処理をステップ番号に沿って説明する。
（ステップＳ２１）端末制御部１４０は、アイドルモード中、アクティブモードへ復帰してパケット通信を行うトリガを検出する。パケット通信のトリガとしては、無線アクセス網２２０の基地局２２１から移動局１００の呼び出しを示すページング情報が受信されたことや、送信するパケットデータが移動局１００内で発生したことが挙げられる。
【００７７】
（ステップＳ２２）端末制御部１４０は、信号処理部１３２，１６２を制御し、移動局１００を無線アクセス網２２０（ＥＶ−ＤＯ方式）のアクティブモードに遷移させる。
（ステップＳ２３）端末制御部１４０は、ＯＦＤＭＡ受信部１２２と信号処理部１３３の信号処理を再開させる。信号処理部１３３は、パイロット信号（プリアンブルなど）に基づいて、無線アクセス網２３０（ＷｉＭＡＸ方式）の基地局２３１をサーチする。
【００７８】
（ステップＳ２４）端末制御部１４０は、信号処理部１３３のサーチの結果、無線アクセス網２３０（ＷｉＭＡＸ方式）の基地局２３１に接続可能か判断する。例えば、基地局２３１からの無線信号の受信レベルが閾値を超えると接続可能と判断する。接続可能な場合、処理をステップＳ２５に進める。接続不可の場合、処理をステップＳ２７に進める。
【００７９】
（ステップＳ２５）端末制御部１４０は、信号処理部１３２，１３３，１６２，１６３を制御し、無線アクセス網２２０の基地局２２１から無線アクセス網２３０の基地局２３１へのハンドオーバを行う。ハンドオーバは、基地局２２１との接続を切断する前に基地局２３１との接続を確立するＭＢＢＨＯとする。当該ハンドオーバの際、端末制御部１４０は、移動局１００に割り当てられたホームアドレスを引き継ぐ。
【００８０】
（ステップＳ２６）端末制御部１４０は、無線アクセス網２３０（ＷｉＭＡＸ方式）を利用したパケット通信を決定する。ＯＦＤＭＡ受信部１２２、信号処理部１３３，１６３およびＯＦＤＭＡ送信部１７２は、基地局２３１とパケット通信を行う。
【００８１】
（ステップＳ２７）端末制御部１４０は、無線アクセス網２２０（ＥＶ−ＤＯ方式）を利用したパケット通信を決定する。ＣＤＭＡ受信部１２１、信号処理部１３２，１６２およびＣＤＭＡ送信部１７１は、基地局２２１とパケット通信を行う。
【００８２】
図１１は、無線アクセス網への初期接続の例を示すシーケンス図である。図１１は、ＷｉＭＡＸ方式により、移動局１００が無線アクセス網２３０の基地局２３１に接続するときの無線区間の手順を示している。
【００８３】
（ステップＳ３１）基地局２３１は、無線フレームにおいて、無線リソースの割り当てを示すＤＬ−ＭＡＰとＵＬ−ＭＡＰを送信している。移動局１００は、基地局２３１からＤＬ−ＭＡＰを受信してＵＬ−ＭＡＰの位置を確認し、ＵＬ−ＭＡＰを受信する。
【００８４】
（ステップＳ３２）基地局２３１は、無線フレームのＤＬバーストにおいて、ＵＬサブフレームの物理特性（使用可能な変調符号化方式など）を示すＵＬチャネル記述子を送信している。移動局１００は、ＤＬ−ＭＡＰを参照して、ＵＬチャネル記述子を受信する。
【００８５】
（ステップＳ３３）移動局１００は、基地局２３１から受信したＵＬ−ＭＡＰとＵＬチャネル記述子を参照して、レンジング領域の位置と使用可能なレンジングコードを特定する。そして、レンジング領域でレンジングコードを送信する。
【００８６】
（ステップＳ３４）基地局２３１は、レンジングコードを検出すると、レンジング応答（ＲＮＧ−ＲＳＰ）メッセージをセル内に送信する。なお、この時点では、基地局２３１は、レンジングコードの送信元が移動局１００であることを認識していない。
【００８７】
（ステップＳ３５）基地局２３１は、レンジングコードの送信元に、ＵＬバーストの無線リソースを割り当てる。そして、割り当て結果を反映したＵＬ−ＭＡＰを送信する。
（ステップＳ３６）移動局１００は、基地局２３１からＲＮＧ−ＲＳＰメッセージを受信すると、ＵＬ−ＭＡＰを参照して、移動局１００に割り当てられたＵＬバーストの無線リソースを確認する。そして、当該無線リソースを用いて、レンジング要求（ＲＮＧ−ＲＥＱ）メッセージを基地局２３１に送信する。ＲＮＧ−ＲＥＱメッセージには、移動局１００を識別するためのＭＡＣ（Medium Access Control）アドレスが含まれる。
【００８８】
（ステップＳ３７）基地局２３１は、ＲＮＧ−ＲＥＱメッセージを受信して移動局１００を認識し、コネクションを識別するためのコネクションＩＤを付与する。そして、コネクションＩＤを含むレンジング応答（ＲＮＧ−ＲＳＰ）メッセージを送信する。
【００８９】
（ステップＳ３８）移動局１００は、ＲＮＧ−ＲＳＰメッセージを基地局２３１から受信すると、登録要求（ＲＥＧ−ＲＥＱ）メッセージを基地局２３１に送信する。ＲＥＧ−ＲＥＱメッセージには、移動局１００の通信能力を示す情報が含まれる。
【００９０】
（ステップＳ３９）基地局２３１は、移動局１００からＲＥＧ−ＲＥＱメッセージを受信し、移動局１００の通信能力と基地局２３１の通信能力に基づいて、移動局１００と基地局２３１の間の無線通信の運用モードを決定する。そして、決定した運用モードの情報を含む登録応答（ＲＥＧ−ＲＳＰ）メッセージを移動局１００に送信する。
【００９１】
次に、ＩＰアドレスを維持したハンドオーバの手順について説明する。まず、ＷｉＭＡＸ方式の無線アクセス網２３０からＥＶ−ＤＯ方式の無線アクセス網２２０へのハンドオーバを説明し、その後、無線アクセス網２２０から無線アクセス網２３０へのハンドオーバを説明する。なお、ＥＶ−ＤＯネットワークとＷｉＭＡＸネットワークの間のハンドオーバの例については、前述の非特許文献１（Peretz Feder, Ramana Isukapalli and Semyon Mizikovsky, "WiMAX-EVDO Interworking Using Mobile IP"）にも記載されている。
【００９２】
図１２は、第１のハンドオーバの例を示すシーケンス図である。
（ステップＳ１１１）移動局１００は、基地局２３１を介してＡＳＮゲートウェイ２３２と通信し、無線アクセス網２３０への接続を行う。移動局１００と基地局２３１の間の無線区間では、図１１に示したような手順が実行される。
【００９３】
（ステップＳ１１２）ＡＳＮゲートウェイ２３２は、ＡＡＡサーバ３２２に移動局１００の認証を要求する。ＡＡＡサーバ３２２は、ＥＰＡ（Extensible Authentication Protocol）を用いて移動局１００を認証する。ＥＰＡ認証では、例えば、移動局１００の識別子としてＮＡＩ（Network Address Identifier）が用いられる。ＡＡＡサーバ３２２は、移動局１００の認証に成功すると、移動局１００のパケットデータを中継するホームエージェントとして、ホームエージェント３２１を指定する。
【００９４】
（ステップＳ１１３）ＡＳＮゲートウェイ２３２は、基地局２３１を介して移動局１００との間に、初期サービスフロー（Initial Service Flow）を確立する。
（ステップＳ１１４）移動局１００は、ＤＨＣＰ（Dynamic Host Configuration Protocol）を用いて通信の設定情報を取得するため、ＤＨＣＰ  ＤＩＳＣＯＶＥＲメッセージをＡＳＮゲートウェイ２３２に送信する。
【００９５】
（ステップＳ１１５）ＡＳＮゲートウェイ２３２は、ＭＩＰ（Mobile Internet Protocol）登録要求を、ＡＡＡサーバ３２２から指定されたホームエージェント３２１に送信する。ＡＳＮゲートウェイ２３２は、ＰＭＩＰ（Proxy Mobile Internet Protocol）クライアントとして機能する。ＭＩＰ登録要求には、移動局１００がＷｉＭＡＸネットワークに存在することを示す情報（PMIP access-technology type extension）が含まれる。
【００９６】
（ステップＳ１１６）ホームエージェント３２１は、移動局１００が未登録であることを検出する。すると、ＭＩＰ登録要求を有効にする（validate）ためのキー（ＭＮ−ＨＡ（Mobile Node - Home Agent）キー）を、ＡＡＡサーバ３２２に要求する。
【００９７】
（ステップＳ１１７）ＡＡＡサーバ３２２は、ホームエージェント３２１にＭＮ−ＨＡキーを送信する。ホームエージェント３２１は、ＡＡＡサーバ３２２から受信したＭＮ−ＨＡキーを用いて、ＭＩＰ登録要求を有効にする。
【００９８】
（ステップＳ１１８）ホームエージェント３２１は、ホームアドレスとしてのＩＰアドレスを移動局１００に割り当て、移動局１００を登録する。そして、ＭＩＰ登録応答を、ＡＳＮゲートウェイ２３２に送信する。
【００９９】
（ステップＳ１１９）ＡＳＮゲートウェイ２３２は、ホームエージェント３２１によって割り当てられたＩＰアドレスを含むＤＨＣＰ  ＯＦＦＥＲメッセージを、基地局２３１を介して移動局１００に送信する。
【０１００】
（ステップＳ１２０）移動局１００は、ＤＨＣＰ  ＯＦＦＥＲメッセージによってＡＳＮゲートウェイ２３２から提示された設定情報に問題がないか確認し、問題がなければ、ＤＨＣＰ  ＲＥＱＵＥＳＴメッセージをＡＳＮゲートウェイ２３２に送信する。
【０１０１】
（ステップＳ１２１）ＡＳＮゲートウェイ２３２は、ＤＨＣＰ  ＯＦＦＥＲメッセージで提示した設定情報（ＩＰアドレスを含む）を正式に移動局１００に適用することを決定する。そして、ＤＨＣＰ  ＡＣＫメッセージを移動局１００に送信する。
【０１０２】
（ステップＳ１２２）ＡＳＮゲートウェイ２３２は、基地局２３１を介して移動局１００との間に、サービスフローを確立する。
（ステップＳ１２３）ＡＳＮゲートウェイ２３２は、無線アクセス網２３０を利用することによる移動局１００への課金を開始するよう、ＡＡＡサーバ３２２に通知する。
【０１０３】
（ステップＳ１２４）ＡＳＮゲートウェイ２３２を介して、移動局１００とホームエージェント３２１との間にデータパスが確立される。これにより、移動局１００のパケットデータが、当該データパスに沿って伝送される。
【０１０４】
（ステップＳ１２５）移動局１００は、無線アクセス網２３０（ＷｉＭＡＸ方式）から無線アクセス網２２０（ＥＶ−ＤＯ方式）へハンドオーバすることを決定する。すると、移動局１００は、基地局２２１と同期し、基地局２２１を介してＰＤＳＮ２２２と接続を確立する。接続の確立は、例えば、３ＧＰＰ２（3rd Generation Partnership Project 2）規格Ａ−Ｓ００８−Ａの方法を用いる。
【０１０５】
図１３は、第１のハンドオーバの例を示すシーケンス図（続き）である。
（ステップＳ１２６）ＰＳＤＮ２２２は、ＡＡＡサーバ３２２に移動局１００の認証を要求する。ＡＡＡサーバ３２２は、ＲＡＮ（Radio Access Network）認証を行う。
【０１０６】
（ステップＳ１２７）移動局１００は、ＰＰＰ（Point-to-Point Protocol）ネゴシエーションにより、ＰＤＳＮ２２２との間でＰＰＰセッションを確立する。
（ステップＳ１２８）ＰＤＳＮ２２２は、ＦＡ  ａｄｖｅｒｔｉｓｅｍｅｎｔメッセージと呼ばれるＭＩＰメッセージを、基地局２２１を介して移動局１００に送信する。
【０１０７】
（ステップＳ１２９）移動局１００は、ＭＩＰ登録要求を、基地局２２１を介してＰＤＳＮ２２２に送信する。このＭＩＰ登録要求には、移動局１００に割り当てられたホームアドレスが含まれる。または、ホームアドレスに代えて、全ビットが０または１のビット列がＭＩＰ登録要求に挿入される。
【０１０８】
（ステップＳ１３０）ＰＤＳＮ２２２は、ＡＡＡサーバ３２２にアクセスする。ＡＡＡサーバ３２２は、移動局１００に対してホームエージェントが既に指定されているか確認する。ここでは、ホームエージェント３２１が移動局１００に対して指定されている。
【０１０９】
（ステップＳ１３１）ＡＡＡサーバ３２２は、既に移動局１００に対して指定済みであるホームエージェント３２１の情報を含むアクセス応答をＰＤＳＮ２２２に送信する。
（ステップＳ１３２）ＰＤＳＮ２２２は、ＡＡＡサーバ３２２から指定されたホームエージェント３２１に、ＭＩＰ登録要求を送信する。このＭＩＰ登録要求には、移動局１００がＥＶ−ＤＯネットワークに存在するため、ＷｉＭＡＸネットワークに存在することを示す情報（PMIP access-technology type extension）が含まれない。これにより、移動局１００がＥＶ−ＤＯネットワークに存在することを識別できる。
【０１１０】
（ステップＳ１３３）ホームエージェント３２１は、移動局１００が登録済みであることを検出する。また、ＭＮ−ＨＡキーをＡＡＡサーバ３２２に要求し、ＡＡＡサーバ３２２から受信したＭＮ−ＨＡキーを用いてＭＩＰ登録要求を有効にする（validate）。
【０１１１】
（ステップＳ１３４）ホームエージェント３２１は、移動局１００に割り当て済みのホームアドレスを維持し、ＭＩＰ登録応答をＰＤＳＮ２２２に送信する。
（ステップＳ１３５）ＰＤＳＮ２２２は、無線アクセス網２２０を利用することによる移動局１００への課金を開始するよう、ＡＡＡサーバ３２２に通知する。
【０１１２】
（ステップＳ１３６）ＰＤＳＮ２２２は、ＭＩＰ登録応答を移動局１００に送信する。
（ステップＳ１３７）ＰＤＳＮ２２２を介して、移動局１００とホームエージェント３２１との間にデータパスが確立される。これにより、移動局１００のパケットデータが、当該データパスに沿って伝送される。
【０１１３】
（ステップＳ１３８）移動局１００から無線アクセス網２２０（ＥＶ−ＤＯ方式）への接続が完了して無線アクセス網２２０を利用したデータパスが確立された後、移動局１００から無線アクセス網２３０（ＷｉＭＡＸ方式）への接続が切断される。
【０１１４】
（ステップＳ１３９）ＡＳＮゲートウェイ２３２は、無線アクセス網２３０を利用することによる移動局１００への課金を停止するよう、ＡＡＡサーバ３２２に通知する。
このように、無線アクセス網２３０から無線アクセス網２２０に、移動局１００に割り当てられたＩＰアドレスを維持してハンドオーバすることができる。
【０１１５】
図１４は、第２のハンドオーバの例を示すシーケンス図である。
（ステップＳ２１１）移動局１００は、アイドルモードからアクティブモードに遷移すると、基地局２２１と同期し、基地局２２１を介してＰＤＳＮ２２２と接続を確立する。
【０１１６】
（ステップＳ２１２）ＰＳＤＮ２２２は、ＡＡＡサーバ３２２に移動局１００の認証を要求する。ＡＡＡサーバ３２２は、ＲＡＮ認証を行う。
（ステップＳ２１３）移動局１００は、ＰＰＰネゴシエーションにより、ＰＤＳＮ２２２との間でＰＰＰセッションを確立する。
【０１１７】
（ステップＳ２１４）ＰＤＳＮ２２２は、ＦＡ  ａｄｖｅｒｔｉｓｅｍｅｎｔメッセージと呼ばれるＭＩＰメッセージを移動局１００に送信する。
（ステップＳ２１５）移動局１００は、ＭＩＰ登録要求をＰＤＳＮ２２２に送信する。ＭＩＰ登録要求には、ホームアドレス、または、０または１のビット列が含まれる。
【０１１８】
（ステップＳ２１６）ＰＤＳＮ２２２は、ＡＡＡサーバ３２２にアクセスする。ＡＡＡサーバ３２２は、移動局１００に対してホームエージェントが既に指定されているか確認する。ここでは、ホームエージェント３２１が移動局１００に対して指定されている。
【０１１９】
（ステップＳ２１７）ＡＡＡサーバ３２２は、既に移動局１００に対して指定済みであるホームエージェント３２１の情報を含むアクセス応答をＰＤＳＮ２２２に送信する。
（ステップＳ２１８）ＰＤＳＮ２２２は、ＡＡＡサーバ３２２から指定されたホームエージェント３２１に、ＭＩＰ登録要求を送信する。ＭＩＰ登録要求には、ＷｉＭＡＸネットワークに存在することを示す情報は含まれない。これにより、移動局１００がＥＶ−ＤＯネットワークに存在することを識別できる。
【０１２０】
（ステップＳ２１９）ホームエージェント３２１は、移動局１００が登録済みであることを検出する。また、ＭＮ−ＨＡキーをＡＡＡサーバ３２２に要求し、ＡＡＡサーバ３２２から受信したＭＮ−ＨＡキーを用いてＭＩＰ登録要求を有効にする。
【０１２１】
（ステップＳ２２０）ホームエージェント３２１は、移動局１００に割り当て済みのホームアドレスを維持し、ＭＩＰ登録応答をＰＤＳＮ２２２に送信する。
（ステップＳ２２１）ＰＤＳＮ２２２は、無線アクセス網２２０を利用することによる移動局１００への課金を開始するよう、ＡＡＡサーバ３２２に通知する。
【０１２２】
（ステップＳ２２２）ＰＤＳＮ２２２は、ＭＩＰ登録応答を移動局１００に送信する。
（ステップＳ２２３）ＰＤＳＮ２２２を介して、移動局１００とホームエージェント３２１との間にデータパスが確立される。これにより、移動局１００のパケットデータが、当該データパスに沿って伝送できるようになる。
【０１２３】
（ステップＳ２２４）移動局１００は、無線アクセス網２３０への接続を行う。
（ステップＳ２２５）ＡＳＮゲートウェイ２３２は、ＡＡＡサーバ３２２に移動局１００の認証を要求する。ＡＡＡサーバ３２２は、移動局１００のＥＰＡ認証を行う。また、ＡＡＡサーバ３２２は、移動局１００に対してホームエージェント３２１を指定する。
【０１２４】
図１５は、第２のハンドオーバの例を示すシーケンス図（続き）である。
（ステップＳ２２６）ＡＳＮゲートウェイ２３２は、基地局２３１を介して移動局１００との間に、初期サービスフローを確立する。
【０１２５】
（ステップＳ２２７）移動局１００は、ＤＨＣＰを用いて通信の設定情報を取得するため、ＤＨＣＰ  ＤＩＳＣＯＶＥＲメッセージをＡＳＮゲートウェイ２３２に送信する。
（ステップＳ２２８）ＡＳＮゲートウェイ２３２は、ＭＩＰ登録要求を、ＡＡＡサーバ３２２から指定されたホームエージェント３２１に送信する。ＭＩＰ登録要求には、移動局１００がＷｉＭＡＸネットワークに存在することを示す情報が含まれる。
【０１２６】
（ステップＳ２２９）ホームエージェント３２１は、ＭＩＰ登録要求を有効にする（validate）ためのＭＮ−ＨＡを、ＡＡＡサーバ３２２に要求する。
（ステップＳ２３０）ＡＡＡサーバ３２２は、ホームエージェント３２１にＭＮ−ＨＡキーを送信する。ホームエージェント３２１は、ＡＡＡサーバ３２２から受信したＭＮ−ＨＡキーを用いて、ＭＩＰ登録要求を有効にする。
【０１２７】
（ステップＳ２３１）ホームエージェント３２１は、移動局１００に割り当て済みのホームアドレスを維持し、ＡＳＮゲートウェイ２３２にＭＩＰ登録応答を送信する。
（ステップＳ２３２）ＡＳＮゲートウェイ２３２は、ＤＨＣＰ  ＯＦＦＥＲメッセージを、基地局２３１を介して移動局１００に送信する。
【０１２８】
（ステップＳ２３３）移動局１００は、ＤＨＣＰ  ＲＥＱＵＥＳＴメッセージを、基地局２３１を介してＡＳＮゲートウェイ２３２に送信する。
（ステップＳ２３４）ＡＳＮゲートウェイ２３２は、ＤＨＣＰ  ＡＣＫメッセージを、基地局２３１を介して移動局１００に送信する。
【０１２９】
（ステップＳ２３５）ＡＳＮゲートウェイ２３２は、基地局２３１を介して移動局１００との間にサービスフローを確立する。
（ステップＳ２３６）ＡＳＮゲートウェイ２３２は、無線アクセス網２３０を利用することによる移動局１００への課金を開始するよう、ＡＡＡサーバ３２２に通知する。
【０１３０】
（ステップＳ２３７）ＡＳＮゲートウェイ２３２を介して、移動局１００とホームエージェント３２１との間にデータパスが確立される。これにより、移動局１００のパケットデータが、当該データパスに沿って伝送される。
【０１３１】
（ステップＳ２３８）移動局１００から無線アクセス網２３０（ＷｉＭＡＸ方式）への接続が完了して無線アクセス網２３０を利用したデータパスが確立された後、移動局１００から無線アクセス網２２０（ＥＶ−ＤＯ方式）への接続が切断される。
【０１３２】
（ステップＳ２３９）ＰＤＳＮ２２２２は、無線アクセス網２２０を利用することによる移動局１００への課金を停止するよう、ＡＡＡサーバ３２２に通知する。
このように、無線アクセス網２２０から無線アクセス網２３０に、移動局１００に割り当てられたＩＰアドレスを維持してハンドオーバすることができる。
【０１３３】
なお、以上の説明では、移動局１００は、ハンドオーバとしてＭＢＢＨＯを行うこととしたが、ＢＢＭＨＯ（Break-Before-Make Handover）を行ってもよい。その場合、移動局１００は、無線アクセス網２３０から無線アクセス網２２０へのハンドオーバでは、基地局２３１との接続を切断した後に基地局２２１との接続を確立する。また、無線アクセス網２２０から無線アクセス網２３０へのハンドオーバでは、基地局２２１との接続を切断した後に基地局２３１との接続を確立する。
【０１３４】
第２の実施の形態の移動通信システムによれば、カバーエリアの狭い無線アクセス網２３０のパケット通信後でも、カバーエリアの広い無線アクセス網２２０へのハンドオーバが行われて、無線アクセス網２３０の受信処理が停止される。よって、アイドルモード中に、無線アクセス網２２０に加えて無線アクセス網２３０についてページング情報の受信や基地局のサーチを行わなくてよく、アイドルモード中の移動局１００の消費電力を低減できる。また、無線アクセス網２２０のページングのタイミングと無線アクセス網２３０のページングのタイミングが同じであっても、移動局１００の負荷の増大を回避できる。
【０１３５】
また、アイドルモードの解除後は、移動局１００が無線アクセス網２２０から無線アクセス網２３０へハンドオーバしてパケット通信を行うことで、無線アクセス網２３０を優先的に利用でき、無線アクセス網２３０の利点を享受できる。また、移動局１００が無線アクセス網２２０，２３０の間のハンドオーバにおいてＩＰアドレスを引き継ぐことで、移動局１００は継続してＩＰサービスの提供を受けることができる。
【符号の説明】
【０１３６】
１０  移動通信装置
１１  無線通信部
１２  制御部
２１，２２  無線アクセス網
【図１】
2012227735.tif 000003
【図２】
2012227735.tif 000004
【図３】
2012227735.tif 000005
【図４】
2012227735.tif 000006
【図５】
2012227735.tif 000007
【図６】
2012227735.tif 000008
【図７】
2012227735.tif 000009
【図８】
2012227735.tif 000010
【図９】
2012227735.tif 000011
【図１０】
2012227735.tif 000012
【図１１】
2012227735.tif 000013
【図１２】
2012227735.tif 000014
【図１３】
2012227735.tif 000015
【図１４】
2012227735.tif 000016
【図１５】
2012227735.tif 000017